(57)【要約】【課題】リンダ装置、もしくは弾性体を設けることなく、低コストでドアの自動開閉を達成する自動復帰作用を有するヒンジを提供することを課題とする。【解決手段】支軸挿入部と固定側と延伸側とを有し、枠に固定するベースプレートと、支軸挿入部と固定側と延伸側とを有し、ドアに固定する連結プレートと、軸芯棒と、ナットと、磁石とを具えてなり、該軸芯棒を該ベースプレートの支軸挿入部と該連結プレートの支軸挿入部とに挿入し、かつ該軸芯棒の両端に該ナットを螺着するとともに、それぞれのプレートに該磁石を嵌着してなり、該ベースプレートの延伸側と該連結プレートの延伸側とに設ける磁石が互いに反発し、該ベースプレートの固定側と連結プレートの固定側とに設ける磁石が互いに吸引するように構成する。【選択図】  図１
0003121844.tif 000002
【実用新案登録請求の範囲】
【請求項１】
支軸挿入部と固定側と延伸側とを有し、枠に固定するベースプレートと、支軸挿入部と固定側と延伸側とを有し、ドアに固定する連結プレートと、軸芯棒と、ナットと、磁石とを具えてなり、
該軸芯棒を該ベースプレートの支軸挿入部と該連結プレートの支軸挿入部とに挿入し、かつ該軸芯棒の両端に該ナットを螺着するとともに、それぞれのプレートに該磁石を嵌着してなり、
該ベースプレートの延伸側と該連結プレートの延伸側とに設ける磁石が互いに反発し、該ベースプレートの固定側と連結プレートの固定側とに設ける磁石が互いに吸引するように構成することを特徴とするヒンジ。
【請求項２】
前記磁石が、長条形であるか、面積の広い矩形であるか、もしくは其の他形状であることを特徴とする請求項１に記載のヒンジ。
【考案の詳細な説明】
【技術分野】
【０００１】
この考案はヒンジに関し、特にドアと枠に設けられ、ドアを自動的に閉じた状態にする自動復帰作用を有するヒンジに関する。
【背景技術】
【０００２】
ドアを開閉する方法は、一般に二種類の方法に大別される。即ち、回転式と、転動子及びガイドレールを組み合わせた方式である。これらの内、回転式が比較的多用されている。従来の回転式のドア開閉方法は、ヒンジを介してドアを枠に枢着してドアを開閉自在に設ける。  
【０００３】
また、従来のヒンジは、左右対称のプレートを軸芯棒で軸支してなり、取り付ける場合は、ドアと枠とに、それぞれ収納溝を形成し、ヒンジを取り付けたドアを枠に取り付け、回動自在に設ける。
【０００４】
但し、回転式の開閉方法のドアは、人的な要素でドアを閉め忘れる場合がある。この場合、特に冷房をしている部屋などでは、冷気が外部に流れてエネルギーの浪費になる。
【０００５】
上述する問題に対して、ドアにシリンダ、もしくは弾性体を設けた構造が開発されている。即ち、ドアを開けた場合、シリンダ、もしくは弾性体の作用によってドアを本来の位置に復帰させ、自動的にドアを閉める目的を達成する。かかる方式は、ドアの閉め忘れという問題を解決するものであるが、但し、かかる構造はシリンダ、もしくは弾性体を設けるための手間とコストを必要とする。よって、消費者のニーズを満足させるものではない。
【考案の開示】
【考案が解決しようとする課題】
【０００６】
この考案は、シリンダ装置、もしくは弾性体を設けることなく、低コストでドアの自動開閉を達成する自動復帰作用を有するヒンジを提供することを課題とする。
【課題を解決するための手段】
【０００７】
そこで、本願考案者は、従来の技術に見られる欠点に鑑み鋭意研究を重ねた結果、支軸挿入部と固定側と延伸側とを有し、枠に固定するベースプレートと、支軸挿入部と固定側と延伸側とを有し、ドアに固定する連結プレートと、軸芯棒と、ナットと、磁石とを具えてなり、該軸芯棒を該ベースプレートの支軸挿入部と該連結プレートの支軸挿入部とに挿入し、かつ該軸芯棒の両端に該ナットを螺着するとともに、それぞれのプレートに該磁石を嵌着してなり、該ベースプレートの延伸側と該連結プレートの延伸側とに設ける磁石が互いに反発し、該ベースプレートの固定側と連結プレートの固定側とに設ける磁石が互いに吸引するように構成してなるヒンジによって課題を解決できる点に鑑み、係る知見に基づいて本考案を完成させた。
【０００８】
以下、この考案について詳述する。
請求項１に記載するヒンジは、支軸挿入部と固定側と延伸側とを有し、枠に固定するベースプレートと、支軸挿入部と固定側と延伸側とを有し、ドアに固定する連結プレートと、軸芯棒と、ナットと、磁石とを具えてなり、
該軸芯棒を該ベースプレートの支軸挿入部と該連結プレートの支軸挿入部とに挿入し、かつ該軸芯棒の両端に該ナットを螺着するとともに、それぞれのプレートに該磁石を嵌着してなり、
該ベースプレートの延伸側と該連結プレートの延伸側とに設ける磁石が互いに反発し、該ベースプレートの固定側と連結プレートの固定側とに設ける磁石が互いに吸引するように構成する。
【０００９】
上述する構造のヒンジをドアと枠に設けた場合、ドアを開けると磁石の反発力と吸引力によってドアが元の位置に復帰して自動的に閉まる。
【００１０】
請求項２に記載するヒンジは、請求項１に記載する磁石が、長条形であるか、面積の広い矩形であるか、もしくは其の他形状である。即ち、本考案における磁石は、ドアの大きさ、重量、もしくはデザイン上の問題など、実際に必要に合せて磁石の形状、面積を任意に変更してもよい。
【考案の効果】
【００１１】
この考案によるヒンジは、シリンダ装置、弾性体などを設けることなく、簡易な構造で開けたドアを自動的閉める作用が得られ、低コストによるどの位置の自動復帰効果が得られるという利点を有する。
【考案を実施するための最良の形態】
【００１２】
図１から図６に開示するように、この考案によるヒンジは、枠に固定するベースプレート１０と、ドアに固定するＬ字状の連結プレート２０と、軸芯棒３０と、ナット４０と、磁石５０とを具えてなる。
【００１３】
ベースプレート１と連結プレートは、それぞれ支軸挿入部７０を有し、両者を組み合わせてヒンジを構成する場合は、軸芯棒３０をそれぞれのプレートの支軸挿入部７０に挿入してナット４０を軸芯棒４０の両端に螺着する。また、それぞれのプレートは固定側と延伸側とを有し、それぞれに磁石５０を嵌着する。それぞれの磁石５０設ける位置は、ドアを回転させた場合、互いに接触する位置に設けるとともに、固定側１１、２１の互いに接触する磁石の極性がそれぞれ異なるように設定し、互いに吸引するように構成する。また、延伸側１２、２２の互いに接触する磁石の極性がそれぞれ同じになるように設定し、互いに反発するように構成する。
【００１４】
ドアを取り付ける場合、ヒンジの固定側１１、２１をドア８１と枠８０に設けた収納溝８２内に設け、ネジ釘９０を固定側の位置決め孔６０に挿通させ、ヒンジを介してドア８１と枠８０を連結する。よって、ドア８０はヒンジの作用で回動自在に支持され、９０度の角度まで開くことができるようになる。ドアを回転させて開けると、延伸側１２、２２に設けた磁石が互いに接近する。この場合、磁石同士が互いに反発し、ドア８０  を押して元の位置に戻す力が発生する。ドア８１が押されると、固定側１１、２１が互いに接近する。この場合、磁石同士が互いに吸引してドア８１を引きつける力が発生する。よって、ドア８１を押す力と引きつける力によって、ドア８１が自動的に閉まり、ドアの位置が自動的に復帰する効果が得られる。
【００１５】
ヒンジに嵌着する磁石の形状は、図示するような長条形以外に、ドアのサイズ、重さ、もしくはデザイン上の問題などを考慮し、実際の必要に応じて変化させることができる。例えば、図５に開示するように磁石の面積を広くして、磁石の作用が強くなるようにしてもよい。
【００１６】
以上はこの考案の好ましい実施の形態であって、この発明の実施の範囲を限定するものではない。よって、当業者のなし得る修正、もしくは変更であって、この考案の精神の下においてなされ、この考案に対して均等の効果有するものは、いずれもこの考案の実用新案登録請求の範囲に属するものとする。
【図面の簡単な説明】
【００１７】
【図１】この考案によるヒンジの分解図である。
【図２】図１に開示するヒンジの斜視図である。
【図３】図１に開示するヒンジの使用態様を示した説明図である。
【図４】図１に開示するヒンジの使用態様と、動作を示した説明図である。
【図５】他の実施形態によるヒンジの斜視図である。
【符号の説明】
【００１８】
１０                     ベースプレート
１１                     固定側
１２                     延伸側
２０                     連結プレート
２１                     固定側
２２                     延伸側
３０                     軸芯棒
４０                     ナット
５０                     磁石
６０                     位置決め孔
７０                     支軸挿入部
８０                     枠
８１                     ドア
９０                     ネジ釘
【図１】
0003121844.tif 000003
【図２】
0003121844.tif 000004
【図３】
0003121844.tif 000005
【図４】
0003121844.tif 000006
【図５】
0003121844.tif 000007